(57)【要約】      （修正有）【課題】使い勝手が良く、不使用時における保管性を向上することができる折畳み収納ボックスを提供する。【解決手段】四角状の底面部２２の四辺より上方に立設された二対の側壁部２４のうち少なくとも一対において、側壁部の立設方向に沿って箱折曲線部２６が形成される箱体２０と、箱体の底面部の上に載置される底板部材と、箱体の上部開口を塞ぐとともに座面部として機能する蓋体４０と、を備える。蓋体は、側縁部４４に、隣接し合う側縁部と側縁部とを互いに着脱自在に係合し合う係合手段４８が設けられ、係合手段が掛けられた状態で、蓋体の内部空間内に、折り畳まれた状態の箱体と、底板部材とが、収納される。【選択図】図１
0003178275.tif 000002
【実用新案登録請求の範囲】
【請求項１】
四角状の底面部と、前記底面部の四辺より上方に立設された二対の側壁部と、を備え、前記二対の側壁部のうち少なくとも一対において、前記側壁部の立設方向に沿って箱折曲線部が形成され、前記箱折曲線部が設けられた一対の側壁部を、前記箱折曲線部で折畳むことにより偏平状となる箱体と、
前記箱体の前記底面部の上に載置される底板部材と、
前記箱体の前記二対の側壁部の上に載置される四角状の天板部と、前記天板部の四辺より下方に延設され、前記箱体の側壁部に沿って形成された二対の側縁部と、を備え、前記箱体の上部開口を塞ぐとともに座面部として機能する蓋体と、
を備えた折畳み収納ボックスであって、
前記蓋体は、
前記側縁部に、隣接し合う前記側縁部と側縁部とを互いに着脱自在に係合し合う係合手段が設けられ、
前記係合手段が外れた状態で、前記二対の側縁部を、前記天板部の四辺で前記天板部に向かって折畳むことで偏平状となり、
前記係合手段が掛けられた状態で、前記蓋体の内部空間内に、折り畳まれた状態の前記箱体と、前記底板部材とが、収納されるよう構成されていることを特徴とする折畳み収納ボックス。
【請求項２】
前記係合手段が、スナップボタンであることを特徴とする請求項１に記載の折畳み収納ボックス。
【請求項３】
前記蓋体の天板部が、緩衝部材を具備して成ることを特徴とする請求項１または２に記載の折畳み収納ボックス。
【請求項４】
前記底板部材の一辺が、前記箱体の側壁部の底面側下端と連結されて成ることを特徴とする請求項１〜３のいずれかに記載の折畳み収納ボックス。
【考案の詳細な説明】
【技術分野】
【０００１】
本考案は、折畳んでコンパクトに纏めることができ、所望の品物を収納する目的以外に座椅子としても用いることのできる折畳み収納ボックスに関する。
【背景技術】
【０００２】
従来より、箱体と、箱体の底面上に載置される底板と、箱体を覆う蓋体とからなり、不使用時には箱体のみを、または箱体と蓋体の両方を、偏平状に折畳むことのできる折畳み収納ボックスが知られている（例えば特許文献１，２）。
【０００３】
このような折畳み収納ボックスは、本来の使用目的である収納機能に加え、座椅子としても使用できるアイデア商品として知られている。
【先行技術文献】
【特許文献】
【０００４】
【特許文献１】実用新案登録第３１２１０９６号公報
【特許文献２】実用新案登録第３１６８５５２号公報
【考案の概要】
【考案が解決しようとする課題】
【０００５】
ところで特許文献１に開示された折畳み収納ボックスは、「箱体と蓋体とを折畳むことで偏平にできる構造」であり、また特許文献２に開示された折畳み収納ボックスは、「蓋体の空間内に、箱体と底板を収納する構造」であるが、両方の構造を兼ね備えた折畳み収納ボックスがあれば、より使い勝手が向上するものと思われる。
【０００６】
本考案は、従来のものよりもさらに使い勝手が良く、不使用時における保管性を向上することができる折畳み収納ボックスを提供することを目的とする。
【課題を解決するための手段】
【０００７】
本考案は、前述したような従来技術における課題および目的を達成するために考案されたものであって、
本考案の折畳み収納ボックスは、
四角状の底面部と、前記底面部の四辺より上方に立設された二対の側壁部と、を備え、前記二対の側壁部のうち少なくとも一対において、前記側壁部の立設方向に沿って箱折曲線部が形成され、前記箱折曲線部が設けられた一対の側壁部を、前記箱折曲線部で折畳むことにより偏平状となる箱体と、
前記箱体の前記底面部の上に載置される底板部材と、
前記箱体の前記二対の側壁部の上に載置される四角状の天板部と、前記天板部の四辺より下方に延設され、前記箱体の側壁部に沿って形成された二対の側縁部と、を備え、前記箱体の上部開口を塞ぐとともに座面部として機能する蓋体と、
を備えた折畳み収納ボックスであって、
前記蓋体は、
前記側縁部に、隣接し合う前記側縁部と側縁部とを互いに着脱自在に係合し合う係合手段が設けられ、
前記係合手段が外れた状態で、前記二対の側縁部を、前記天板部の四辺で前記天板部に向かって折畳むことで偏平状となり、
前記係合手段が掛けられた状態で、前記蓋体の内部空間内に、折り畳まれた状態の前記箱体と、前記底板部材とが、収納されるよう構成されていることを特徴とする。
【０００８】
このように構成することにより、従来のものよりもさらに使い勝手が良く、不使用時における保管性を向上することができる。
【０００９】
また、本考案の折畳み収納ボックスは、
前記係合手段が、スナップボタンであることを特徴とする。
【００１０】
このようにスナップボタンであれば、着脱が容易であるとともに、入手が容易であり、製造コストを抑えることができる。
【００１１】
また、本考案の折畳み収納ボックスは、
前記蓋体の天板部が、緩衝部材を具備して成ることを特徴とする。
【００１２】
このように構成すれば、折畳み収納ボックスを座椅子として使用した際、臀部が緩衝部材と当接することとなり、座り心地を向上させることができる。
【００１３】
また、本考案の折畳み収納ボックスは、
前記底板部材の一辺が、前記箱体の側壁部の底面側下端と連結されて成ることを特徴とする。
【００１４】
このように構成すれば、折畳みの際に、箱体と蓋体だけとなるため、より取扱いやすくなり、不使用時における保管性をより向上させることができる。
【考案の効果】
【００１５】
本考案によれば、蓋体の内部空間内に、折畳んだ箱体と底板部材とを収納することができるとともに、蓋体も箱体も偏平状にすることができ、不使用時における保管性を向上することができる折畳み収納ボックスを提供することができる。
【図面の簡単な説明】
【００１６】
【図１】本考案の折畳み収納ボックスの組立状態を示した斜視図である。
【図２】本考案の折畳み収納ボックスの分解状態を示した斜視図である。
【図３】箱体が折畳まれた状態を示した斜視図である。
【図４】蓋体の係合手段が外された状態を示した斜視図である。
【図５】蓋体が折畳まれた状態を示した斜視図である。
【図６】折畳まれた蓋体と底板部材と折畳まれた箱体とを重ねる前の状態を示した斜視図である。
【図７】折畳まれた蓋体と底板部材と折畳まれた箱体とを重ねた状態を示した斜視図である。
【図８】蓋体の内部空間内に、底板部材と折畳まれた箱体とを収納する前の状態を示した斜視図である。
【図９】蓋体の内部空間内に、底板部材と折畳まれた箱体とを収納した状態を示した斜視図である。
【図１０】他の実施形態における箱体を示した斜視図である。
【図１１】他の実施形態における箱体を示した斜視図である。
【考案を実施するための形態】
【００１７】
以下、本考案の実施形態について、図面に基づいてより詳細に説明する。
【００１８】
本考案の折畳み収納ボックスは、折畳んでコンパクトに纏めることができ、所望の品物を収納する目的以外に座椅子としても用いることのできるものである。
【００１９】
このような折畳み収納ボックス１０は、図１および図２に示したように、四角形の箱体２０と、箱体２０の底面部２２の上に載置される底板部材３０と、箱体２０の開口２１を塞ぐための蓋体４０と、からなるものであり、組立状態において箱体２０の内部が収納空間となり、この収納空間内に所望の品物を収納して用いるものである。
【００２０】
詳しく説明すると、箱体２０は、四角状の底面部２２と、この底面部２２の四辺より上方に立設された二対の側壁部２４と、を備えてなり、この二対の側壁部２４のうち、少なくとも一対において、側壁部２４の立設方向に沿って箱折曲線部２６，２６が形成されている。
【００２１】
また箱体２０のもう一対の側壁部２４には、取手２８が設けられており、これにより持ち運びを容易に行えるようになっている。
【００２２】
一方、蓋体４０は、箱体２０の二対の側壁部２４の上に載置される四角状の天板部４２と、この天板部４２の四辺より下方に延設され、箱体２０の側壁部２４に沿って形成された二対の側縁部４４と、を備え、箱体２０の上部に形成された開口２１を塞ぐようになっている。
【００２３】
また蓋体４０の側縁部４４には、隣接し合う側縁部４４と側縁部４４とを互いに着脱自在に係合し合う係合手段４８が設けられている。
【００２４】
なお、蓋体４０の天板部４２には、緩衝部材（図示せず）が具備されていることが好ましい。このようにすれば、本考案の折畳み収納ボックス１０を組立てた状態において、折畳み収納ボックス１０を座椅子として用いた際に、臀部が緩衝部材（図示せず）と当接することとなり、心地良く座ることができるようになる。
【００２５】
緩衝部材（図示せず）の具体例としては、例えば発泡樹脂を用いることができる。
【００２６】
このようにして構成される折畳み収納ボックス１０は、各部材の材質が特に限定されるものではないが、例えば段ボール，樹脂，ベニア板などを用いれば、軽量とすることができるとともに、安価に製造することができ好ましい。
【００２７】
なお、箱体２０の底面部２２は、他の部材と同じ材質であっても良いが、後述するように箱体２０は不使用時には折畳まれてコンパクトに纏められるため、折畳み時における変形がし易いよう、例えば布材などを用いることが好ましい。
【００２８】
布材を用いて成る底面部２２とした場合には、各側壁部２４の下端と底面部２２の各辺部とを、接着または縫合などして連結することが好ましい。
【００２９】
また、蓋体４０に設けられた係合手段４８としては、隣接し合う側縁部４４と側縁部４４とを互いに着脱自在に係合できれば如何なるもので有っても良く、例えばマジックテープ（登録商標）やスナップボタンを用いることができる。このうち、スナップボタンは係合が容易であり、入手もし易く、取扱いやすいため、特に好ましい。
【００３０】
次いで、折畳み収納ボックス１０の折畳み状態について説明する。
【００３１】
まず箱体２０は、図３に示したように、箱折曲線部２６が設けられた一対の側壁部２４，２４を、箱折曲線部２６，２６で内方に折畳むことにより偏平状とすることができる。
【００３２】
一方、蓋体４０は、各係合手段４８を外すことにより、図４に示したように、平らに展開することができる。
【００３３】
そして係合手段４８が外れた状態で、二対の側縁部４４を、天板部４２の四辺で天板部４２に向かって折畳むことで、図５に示したように偏平状とすることができる。
【００３４】
そして図６に示したように、折畳まれた箱体２０と、底板部材３０と、折畳まれた蓋体４０とを用意し、これを重ね合わせれば、図７に示したように嵩高が低くなされてコンパクトな折畳み収納ボックス１０とすることができる。
【００３５】
また今度は、図８に示したように、折畳まれた箱体２０と、底板部材３０と、係合手段４８を掛けた蓋体４０とを用意し、蓋体４０の内部空間内に、折畳まれた箱体２０と、底板部材３０とを収納するようにすれば、図９に示したように蓋体４０内に箱体２０と底板部材３０とがすっぽりと収まり、保管性が良好な折畳み収納ボックス１０とすることができる。
【００３６】
このように本項案の折畳み収納ボックス１０は、「箱体と蓋体とを折畳むことで偏平にできる構造」と、「蓋体の空間内に、箱体と底板を収納する構造」の両構造を兼ね備えており、従来よりもさらに使い勝手が向上したものである。
【００３７】
以上、本考案における折畳み収納ボックス１０の好ましい形態について説明したが、本考案は上記の形態に限定されるものではないものである。
【００３８】
例えば、図１０に示したように、底板部材３０を箱体２０の側壁部２４の底面側の下端と連結することで箱体２０と一体化し、これにより底板部材３０の紛失を防止し、組立、折畳み時における操作をより簡単にできるようにしても良いものである。
【００３９】
また、箱体２０の側壁部２４に設けられた箱折曲線部２６の位置についても、図１１に示したように取手２８が取り付けられた側壁部２４に設けるようにしても良いものである。
【００４０】
このように本考案を逸脱しない範囲で種々の変更が可能なものである。
【符号の説明】
【００４１】
１０・・・折畳み収納ボックス
２０・・・箱体
２１・・・開口
２２・・・底面部
２４・・・側壁部
２６・・・箱折曲線部
２８・・・取手
３０・・・底板部材
４０・・・蓋体
４２・・・天板部
４４・・・側縁部
４８・・・係合手段
【図１】
0003178275.tif 000003
【図２】
0003178275.tif 000004
【図３】
0003178275.tif 000005
【図４】
0003178275.tif 000006
【図５】
0003178275.tif 000007
【図６】
0003178275.tif 000008
【図７】
0003178275.tif 000009
【図８】
0003178275.tif 000010
【図９】
0003178275.tif 000011
【図１０】
0003178275.tif 000012
【図１１】
0003178275.tif 000013